(57)【要約】【課題】移動中のイメージセンサユニットが斜めを向いた状態になることを抑制させた画像読取装置を提供すること。【解決手段】画像読取装置１では、第１ガイド軸４と第２ガイド軸５とが互いに平行に配設される。第１ガイド軸４と第２ガイド軸５の双方に直交する方向Ｄ１では、イメージセンサユニット２１のユニット本体２２から延出する第１端部分２３に設けられたガイド溝２４に第１ガイド軸４が嵌められ、且つ、イメージセンサユニット２１のユニット本体２２から延出する第２端部分２５に設けられたガイド板２６が第２ガイド軸５に載せられる。イメージセンサユニット２１の把持部２７がベルトドライブ機構４１の駆動ベルト４４の一部を把持する。イメージセンサユニット２１の把持部２７は、第１ガイド軸４と第２ガイド軸５の間に配置される。駆動ベルト４４は、第１ガイド軸４に並列に隣接される。【選択図】図４
2013138283.tif 000002
【特許請求の範囲】
【請求項１】
第１ガイド軸と、
前記第１ガイド軸に平行に配設された第２ガイド軸と、
前記第１ガイド軸に並列に隣接された駆動ベルトを有するベルトドライブ機構と、
前記第１ガイド軸と前記第２ガイド軸とに対して直交した状態に配置され、前記ベルトドライブ機構の前記駆動ベルトの一部を把持する把持部が前記第１ガイド軸と前記第２ガイド軸との間に配置されることによって、前記第１ガイド軸上及び前記第２ガイド軸上を往復動自在に摺動するイメージセンサユニットと、を備え、
前記イメージセンサユニットは、
ユニット本体と、
前記第１ガイド軸と前記第２ガイド軸とに対して直交した方向に前記ユニット本体    から延出する第１端部分に設けられ、前記第１ガイド軸が嵌められたガイド溝と、
前記第１ガイド軸と前記第２ガイド軸とに対して直交した方向に前記ユニット本体    から延出する第２端部分に設けられ、前記第２ガイド軸に載せられたガイド板と、を    備え、
前記イメージセンサユニットが前記第１ガイド軸上及び前記第２ガイド軸上を往復動する際に、前記イメージセンサユニットの前記ガイド溝で発生する第１モーメントと前記イメージセンサユニットの前記ガイド板で発生する第２モーメントとが互いに反対方向で同じ大きさであること、を特徴とする画像読取装置。
【請求項２】
請求項１に記載する画像読取装置であって、
前記ガイド溝では２つの面で前記第１ガイド軸が嵌められること、を特徴とする画像読取装置。
【請求項３】
請求項２に記載する画像読取装置であって、
前記ガイド溝では前記２つの面以外の面は前記第１ガイド軸から離間されていること、を特徴とする画像読取装置。
【請求項４】
請求項１乃至請求項３のいずれか一つに記載する画像読取装置であって、
装置本体と、
前記イメージセンサユニットの前記ユニット本体に対して垂直方向に配設された読取窓及び覗き窓と、を備え、
前記ベルトドライブ機構の前記駆動ベルトが前記読取窓及び前記覗き窓の外側に配設されたこと、を特徴とする画像読取装置。
【請求項５】
請求項４に記載する画像読取装置であって、
前記装置本体を構成するとともに前記読取窓の段差窓枠が設けられた筐体と、
前記読取窓の段差窓枠に嵌め込まれる段差部が設けられた透明板と、
前記イメージセンサユニットに設けられたキャスターと、を備え、
前記読取窓の段差窓枠に嵌め込まれた前記透明板の外側面と前記筐体の外側面とが面一であり、
前記キャスターは、前記透明板の内側面に接触するとともに前記読取窓を介して露呈しないこと、を特徴とする画像読取装置。
【発明の詳細な説明】
【技術分野】
【０００１】
本発明は、イメージセンサユニットを移動させる画像読取装置に関するものである。
【背景技術】
【０００２】
従来の画像読取装置には、下記特許文献１に記載された画像読取装置のように、イメージセンサユニットを移動させる機構をもつものがある。そのような画像読取装置では、イメージセンサユニットの移動中は、被写体である原稿が固定状態にされるので、被写体の取り扱いが非常に簡便である。
【先行技術文献】
【特許文献】
【０００３】
【特許文献１】特開２００１−７７９８３号公報
【発明の概要】
【発明が解決しようとする課題】
【０００４】
しかしながら、イメージセンサユニットを移動させる機構では、イメージセンサユニットの移動中に、イメージセンサユニットに対して力のモーメントが作用すると、移動中のイメージセンサユニットが斜めを向いた状態になり易くなる。
【０００５】
そこで、本発明は、上述した点を鑑みてなされたものであり、移動中のイメージセンサユニットが斜めを向いた状態になることを抑制させた画像読取装置を提供することを課題とする。
【課題を解決するための手段】
【０００６】
この課題を解決するためになされた請求項１に係る発明は、画像読取装置であって、第１ガイド軸と、前記第１ガイド軸に平行に配設された第２ガイド軸と、前記第１ガイド軸に並列に隣接された駆動ベルトを有するベルトドライブ機構と、前記第１ガイド軸と前記第２ガイド軸とに対して直交した状態に配置され、前記ベルトドライブ機構の前記駆動ベルトの一部を把持する把持部が前記第１ガイド軸と前記第２ガイド軸との間に配置されることによって、前記第１ガイド軸上及び前記第２ガイド軸上を往復動自在に摺動するイメージセンサユニットと、を備え、前記イメージセンサユニットは、ユニット本体と、前記第１ガイド軸と前記第２ガイド軸とに対して直交した方向に前記ユニット本体から延出する第１端部分に設けられ、前記第１ガイド軸が嵌められたガイド溝と、前記第１ガイド軸と前記第２ガイド軸とに対して直交した方向に前記ユニット本体から延出する第２端部分に設けられ、前記第２ガイド軸に載せられたガイド板と、を備え、前記イメージセンサユニットが前記第１ガイド軸上及び前記第２ガイド軸上を往復動する際に、前記イメージセンサユニットの前記ガイド溝で発生する第１モーメントと前記イメージセンサユニットの前記ガイド板で発生する第２モーメントとが互いに反対方向で同じ大きさであること、を特徴とする。
【０００７】
また、請求項２に係る発明は、請求項１に記載する画像読取装置であって、前記ガイド溝では２つの面で前記第１ガイド軸が嵌められること、を特徴とする。
【０００８】
また、請求項３に係る発明は、請求項２に記載する画像読取装置であって、前記ガイド溝では前記２つの面以外の面は前記第１ガイド軸から離間されていること、を特徴とする。
【０００９】
また、請求項４に係る発明は、請求項１乃至請求項３のいずれか一つに記載する画像読取装置であって、装置本体と、前記イメージセンサユニットの前記ユニット本体に対して垂直方向に配設された読取窓及び覗き窓と、を備え、前記ベルトドライブ機構の前記駆動ベルトが前記読取窓及び前記覗き窓の外側に配設されたこと、を特徴とする。
【００１０】
また、請求項５に係る発明は、請求項４に記載する画像読取装置であって、前記装置本体を構成するとともに前記読取窓の段差窓枠が設けられた筐体と、前記読取窓の段差窓枠に嵌め込まれる段差部が設けられた透明板と、前記イメージセンサユニットに設けられたキャスターと、を備え、前記読取窓の段差窓枠に嵌め込まれた前記透明板の外側面と前記筐体の外側面とが面一であり、前記キャスターは、前記透明板の内側面に接触するとともに前記読取窓を介して露呈しないこと、を特徴とする。
【００１１】
請求項１乃至請求項５のいずれか一つに係る発明の画像読取装置では、第１ガイド軸と第２ガイド軸とが互いに平行に配設される。第１ガイド軸と第２ガイド軸の双方に直交する方向では、イメージセンサユニットのユニット本体から延出する第１端部分に設けられたガイド溝に第１ガイド軸が嵌められ、且つ、イメージセンサユニットのユニット本体から延出する第２端部分に設けられたガイド板が第２ガイド軸に載せられる。イメージセンサユニットの把持部がベルトドライブ機構の駆動ベルトの一部を把持する。これらの構成によって、イメージセンサユニットが第１ガイド軸上及び第２ガイド軸上を往復動自在に摺動する。
【００１２】
さらに、イメージセンサユニットの把持部は、第１ガイド軸と第２ガイド軸との間に配置される。従って、イメージセンサユニットにおいて把持部のある一方側には、第１ガイド軸が嵌められたイメージセンサユニットのガイド溝がある。イメージセンサユニットにおける把持部のある一方側とは反対側には、第２ガイド軸に載せられたイメージセンサユニットのガイド板がある。
【００１３】
イメージセンサユニットの把持部を基準にした、そのようなガイド位置に関する相違点から、イメージセンサユニットが第１ガイド軸上及び第２ガイド軸上を往復動する際においては、イメージセンサユニットのガイド溝で発生する第１モーメントの方向とイメージセンサユニットのガイド板で発生する第２モーメントの方向とが互いに反対の向きとなる。
【００１４】
さらに、上述したように、イメージセンサユニットのガイド溝に第１ガイド軸が嵌められ、イメージセンサユニットのガイド板は第２ガイド軸に載せられる。そのようなガイド態様に関する相違点から、イメージセンサユニットのガイド溝で第１ガイド軸が摩擦する面積は、イメージセンサユニットのガイド板で第２ガイド軸が摩擦する面積より大きい。つまり、イメージセンサユニットが第１ガイド軸上及び第２ガイド軸上を往復動する際においては、イメージセンサユニットのガイド溝で発生する第１モーメントの構成要素の一つである摩擦力が、イメージセンサユニットのガイド板で発生する第２モーメントの構成要素の一つである摩擦力よりも大きくなる。
【００１５】
さらに、駆動ベルトは、第１ガイド軸に並列に隣接される。従って、イメージセンサユニットの把持部は、第１モーメントが発生するイメージセンサユニットのガイド溝から近くに位置し、第２モーメントが発生するイメージセンサユニットのガイド板から遠くに位置する。
【発明の効果】
【００１６】
以上より、本発明の画像読取装置では、イメージセンサユニットが第１ガイド軸上及び第２ガイド軸上を往復動する際に、イメージセンサユニットのガイド溝で発生する第１モーメントとイメージセンサユニットのガイド板で発生する第２モーメントとが互いに反対方向で同じ大きさにすることが可能となり、第１モーメントと第２モーメントとが相殺されるので、移動中のイメージセンサユニットが斜めを向いた状態になることを抑制させることができる。
【００１７】
また、イメージセンサユニットのガイド溝において２つの面で第１ガイド軸が嵌められる場合には、イメージセンサユニットのガイド溝で第１ガイド軸が摩擦する面積を抑えることができる。つまり、そのような本発明の画像読取装置では、イメージセンサユニットが第１ガイド軸上及び第２ガイド軸上を往復動する際に、イメージセンサユニットのガイド溝で発生する摩擦力を抑えることができる。これにより、イメージセンサユニットのガイド溝で発生する第１モーメントを小さくできるので、相殺関係にある第１モーメント及び第２モーメントによってイメージセンサユニットに作用する曲げモーメントをも小さくできる。
【００１８】
また、イメージセンサユニットのガイド溝で２つの面以外の面が第１ガイド軸から離間されていれば、イメージセンサユニットのガイド溝で第１ガイド軸が摩擦する面積をより一層に抑えることができる。つまり、イメージセンサユニットに作用する曲げモーメントをより一層小さくできる。
【００１９】
また、イメージセンサユニットのユニット本体に対して垂直方向に読取窓及び覗き窓が配設され、さらに、読取窓及び覗き窓の外側にはベルトドライブ機構の駆動ベルトが配設される。つまり、そのような本発明の画像読取装置では、読取窓にある原稿を覗き窓を介して装置本体越しにユーザーが見る際に、ベルトドライブ機構の駆動ベルトは邪魔にならない。
【図面の簡単な説明】
【００２０】
【図１】本発明の一実施形態の画像読取装置の外観を表した斜視図である。
【図２】同画像読取装置が有する第２筐体の内部を表した斜視図である。
【図３】同画像読取装置が有する第２筐体の内部を表した平面図である。
【図４】同画像読取装置が有する第２筐体の内部を図３の線Ａ−Ａで切断した断面を表した図である。
【図５】同画像読取装置が有する第２筐体の内部を図３の線Ｂ−Ｂで切断した断面を表した図である。
【図６】図４に表された同画像読取装置のガイド溝の断面周辺を拡大して表した断面図である。
【図７】図４に表された同画像読取装置のガイド板の断面周辺を拡大して表した断面図である。
【図８】同画像読取装置が有する第２筐体の内部を表した平面図である。
【図９】同画像読取装置が有する第１筐体の読取窓を図１の線Ｃ−Ｃで切断した断面を表した概略図である。
【発明を実施するための形態】
【００２１】
［１．本発明の構成］
図１に表されたように、本発明の一実施形態の画像読取装置１は、モバイル型のスキャナーである。本実施形態の画像読取装置１は、装置本体である筐体２を有する。筐体２は、第１筐体２Ａと第２筐体２Ｂとを有する。第１筐体２Ａのほぼ中央には、Ａ８サイズよりやや大きい読取窓３Ａが設けられる。
【００２２】
図２に表されたように、第２筐体２Ｂのほぼ中央には、Ａ８サイズよりやや大きい覗き窓３Ｂが設けられる。第２筐体２Ｂの内側には、イメージセンサユニット２１に加え、第１ガイド軸４、第２ガイド軸５、及びベルトドライブ機構４１が設けられる。第２筐体２Ｂの内側周縁には、複数の取付ピン８が立設される。複数の取付ピン８は、第２筐体２Ｂに対して図１に表された第１筐体２Ａを取り付けるためのピンである。
【００２３】
第１ガイド軸４と第２ガイド軸５は、第２筐体２Ｂの内側の両サイドにおいて互いに平行な位置に設けられる。第１ガイド軸４の両端は、一対の支持部６Ａ，６Ｂによって固定される。第２ガイド軸５の両端は、一対の支持部７Ａ，７Ｂによって固定される。
【００２４】
イメージセンサユニット２１は、ユニット本体２２、第１端部分２３、ガイド溝２４、第２端部分２５、及びガイド板２６を有する。ユニット本体２２の両端からは、第１ガイド軸４と第２ガイド軸５の双方に直交する方向Ｄ１にて、第１端部分２３と第２端部分２５とが延出される。第１端部分２３には、ガイド溝２４が設けられる。ガイド溝２４には、第１ガイド軸４が嵌められる。第２端部分２５には、ガイド板２６が設けられる。ガイド板２６は、第２ガイド軸５に載せられる。
【００２５】
尚、第１端部分２３と第２端部分２５には、第１ガイド軸４と第２ガイド軸５の双方に平行な方向に回転する、一対のキャスター３１がそれぞれ設けられる。
【００２６】
ベルトドライブ機構４１は、一対のプーリー４２，４３、駆動ベルト４４、駆動モーター４５を有する。駆動ベルト４４は、無端環状であり、一対のプーリー４２，４３の外周に掛けられることで、第１ガイド軸４に並列に隣接される。
【００２７】
ベルトドライブ機構４１は、覗き窓３Ｂの外側に位置する。覗き窓３Ｂは、イメージセンサユニット２１のユニット本体２２に対して垂直な方向Ｄ２の一方（図２では、下方）に位置する。この点、別の事例として、覗き窓３Ｂを、イメージセンサユニット２１のユニット本体２２に対して垂直な方向Ｄ２の他方（図２では、上方）に位置させてもよい。
【００２８】
尚、第２筐体２Ｂに対して図１に表された第１筐体２Ａが取り付けられた場合も同様である。つまり、ベルトドライブ機構４１は、図１に表された読取窓３Ａの外側に位置する。図１に表された読取窓３Ａは、イメージセンサユニット２１のユニット本体２２に対して垂直な方向Ｄ２の他方（図２では、上方）に位置する。この点、上記別の事例では、図１に表された読取窓３Ａを、イメージセンサユニット２１のユニット本体２２に対して垂直な方向Ｄ２の一方（図２では、下方）に位置させる。
【００２９】
図３に表されたように、ベルトドライブ機構４１は、複数の歯車で構成された動力伝導機構４６を有する。動力伝導機構４６は、駆動モーター４５の回動力をプーリー４２に伝導する。
【００３０】
図４乃至図６に表したように、イメージセンサユニット２１の第１端部分２３には、駆動ベルト４４を把持する把持部２７が設けられる。把持部２７は、第１ガイド軸４と第２ガイド軸５との間に設けられる。
【００３１】
図６に表したように、イメージセンサユニット２１の第１端部分２３では、ガイド溝２４に設けられた２つの面２８，２９との接触によって第１ガイド軸４が嵌められる。但し、イメージセンサユニット２１の第１端部分２３において、ガイド溝２４に設けられた２つの面２８，２９との接触によって第１ガイド軸４が嵌められた箇所以外は、図５に表したように、第１ガイド軸４と接触することがないように切り欠けられている。一方、図７に表したように、イメージセンサユニット２１の第２端部分２５では、上述したように、ガイド板２６の一つの面が第２ガイド軸５に載せられる。
【００３２】
さらに、イメージセンサユニット２１のユニット本体２２では、図５に表したように、一対の空間３０が設けられる。つまり、イメージセンサユニット２１のユニット本体２２は２つのパーツに分かれており、それらのパーツ間に一対の空間３０が設けられる。一対の空間３０には、コイルバネ３２がそれぞれ内設される。この構成により、イメージセンサユニット２１のユニット本体２２が図５の上下方向に付勢される。従って、本実施形態の画像読取装置１では、イメージセンサユニット２１のユニット本体２２の天地に拘わらず、ガイド溝２４が第１ガイド軸４に常に圧接され、ガイド板２６が第２ガイド軸５に常に圧接される。
【００３３】
［２．本発明の動作］
本実施形態の画像読取装置１では、駆動モーター４５が正転すると、動力伝導機構４６を介して、駆動モーター４５の回動力がプーリー４２に伝導されるので、一対のプーリー４２，４３の外周に掛けられた駆動ベルト４４が正転する。さらに、駆動ベルト４４の回動力は、駆動ベルト４４を把持する把持部２７を介して、イメージセンサユニット２１に伝導されるので、イメージセンサユニット２１が第１ガイド軸４上及び第２ガイド軸５上を摺動しながら直線的に往動する。イメージセンサユニット２１が直線的に往動する際は、イメージセンサユニット２１のユニット本体２２がホームポジションから読取窓３Ａ上を通過する。これにより、イメージセンサユニット２１のユニット本体２２は、読取窓３Ａ下にある原稿を読み取ることができる。
【００３４】
一方、駆動モーター４５が逆転すると、動力伝導機構４６を介して、駆動モーター４５の回動力がプーリー４２に伝導されるので、一対のプーリー４２，４３の外周に掛けられた駆動ベルト４４が逆転する。さらに、駆動ベルト４４の回動力は、駆動ベルト４４を把持する把持部２７を介して、イメージセンサユニット２１に伝導されるので、イメージセンサユニット２１が第１ガイド軸４上及び第２ガイド軸５上を摺動しながら直線的に復動する。イメージセンサユニット２１が直線的に復動する際は、イメージセンサユニット２１のユニット本体２２がホームポジションに戻る。
【００３５】
尚、図９に示すように、第１筐体２Ａに設けられた読取窓３Ａには、第１筐体２Ａの内側を広くした段差窓枠１０１が形成されている。その段差窓枠１０１には、樹脂製の透明板１０２が嵌め込まれている。その透明板１０２の外側面は、第１筐体２Ａの外側面と面一になっている。イメージセンサユニット２１が直線的に往復動する際には、イメージセンサユニット２１に設けられた複数のキャスター３１が、読取窓３Ａの段差部分１０３にある透明板１０２の内側面に直接に接触しながら回転する。その一方で、読取窓３Ａの透明板１０２の上面には原稿が直接触れることから、イメージセンサユニット２１が原稿をより精度良く読み取ることができる。尚、図９に示すように、読取窓３Ａを上方にした状態で本実施形態の画像読取装置１を使用する場合には、コイルバネ３２はなくてもよい。
【００３６】
［３．まとめ］
すなわち、本実施の形態の画像読取装置１では、図８に示すように、第１ガイド軸４と第２ガイド軸５とが互いに平行に配設される。第１ガイド軸４と第２ガイド軸５の双方に直交する方向Ｄ１では、イメージセンサユニット２１のユニット本体２２から延出する第１端部分２３に設けられたガイド溝２４に第１ガイド軸４が嵌められ、且つ、イメージセンサユニット２１のユニット本体２２から延出する第２端部分２５に設けられたガイド板２６が第２ガイド軸５に載せられる。イメージセンサユニット２１の把持部２７がベルトドライブ機構４１の駆動ベルト４４の一部を把持する。これらの構成によって、イメージセンサユニット２１が第１ガイド軸４上及び第２ガイド軸５上を往復動自在に摺動する。
【００３７】
さらに、イメージセンサユニット２１の把持部２７は、第１ガイド軸４と第２ガイド軸５との間に配置される。従って、イメージセンサユニット２１において把持部２７のある一方側には、第１ガイド軸４が嵌められたイメージセンサユニット２１のガイド溝２４がある。イメージセンサユニット２１における把持部２７のある一方側とは反対側には、第２ガイド軸５に載せられたイメージセンサユニット２１のガイド板２６がある。イメージセンサユニット２１の把持部２７を基準にした、そのようなガイド位置に関する相違点から、イメージセンサユニット２１が第１ガイド軸４上及び第２ガイド軸５上を往復動する際においては、イメージセンサユニット２１が（例えば、矢印Ｆ０の駆動力で）動き出すと、イメージセンサユニット２１のガイド溝２４で発生する第１モーメントＭ１の方向とイメージセンサユニット２１のガイド板２６で発生する第２モーメントＭ２の方向とが互いに反対の向きとなる。
【００３８】
さらに、上述したように、イメージセンサユニット２１のガイド溝２４は第１ガイド軸４が嵌められ、イメージセンサユニット２１のガイド板２６は第２ガイド軸５に載せられる。そのようなガイド態様に関する相違点から、イメージセンサユニット２１のガイド溝２４で第１ガイド軸４が摩擦する面積は、イメージセンサユニット２１のガイド板２６で第２ガイド軸５が摩擦する面積より大きい。つまり、イメージセンサユニット２１が第１ガイド軸４上及び第２ガイド軸５上を往復動する際においては、イメージセンサユニット２１が（例えば、矢印Ｆ０の駆動力で）動き出すと、イメージセンサユニット２１のガイド溝２４で発生する第１モーメントＭ１の構成要素の一つである摩擦力Ｆ１が、イメージセンサユニット２１のガイド板２６で発生する第２モーメントＭ２の構成要素の一つである摩擦力Ｆ２よりも大きくなる。尚、イメージセンサユニット２１のユニット本体２２に内設されたコイルバネ３２により、ガイド溝２４が第１ガイド軸４に常に圧接され、ガイド板２６が第２ガイド軸５に常に圧接されることから、イメージセンサユニット２１のユニット本体２２をひっくり返した状態で使用しても、摩擦力Ｆ１，Ｆ２の大小関係は同様である。
【００３９】
さらに、駆動ベルト４４は、第１ガイド軸４に並列に隣接される。従って、イメージセンサユニット２１の把持部２７は、第１モーメントＭ１が発生するイメージセンサユニット２１のガイド溝２４から近くに位置し、第２モーメントＭ２が発生するイメージセンサユニット２１のガイド板２６から遠くに位置する。
【００４０】
以上より、本実施の形態の画像読取装置１では、イメージセンサユニット２１が第１ガイド軸４上及び第２ガイド軸６上を往復動する際に、イメージセンサユニット２１が（例えば、矢印Ｆ０の駆動力で）動き出すと、イメージセンサユニット２１のガイド溝２４で発生する第１モーメントＭ１とイメージセンサユニット２１のガイド板２６で発生する第２モーメントＭ２とが互いに反対方向で同じ大きさにすることが可能となり、第１モーメントＭ１と第２モーメントＭ２とが相殺されるので、移動中のイメージセンサユニット２１が斜めを向いた状態になることを抑制させることができる。
【００４１】
また、本実施の形態の画像読取装置１では、イメージセンサユニット２１のガイド溝２４において２つの面２８，２９で第１ガイド軸４が嵌められるので、イメージセンサユニット２１のガイド溝２４で第１ガイド軸４が摩擦する面積を抑えることができる。つまり、イメージセンサユニット２１が第１ガイド軸４上及び第２ガイド軸５上を往復動する際に、イメージセンサユニット２１が（例えば、矢印Ｆ０の駆動力で）動き出すと、イメージセンサユニット２１のガイド溝２４で発生する摩擦力Ｆ１を抑えることができる。これにより、イメージセンサユニット２１のガイド溝２４で発生する第１モーメントＭ１を小さくできるので、相殺関係にある第１モーメントＭ１及び第２モーメントＭ２によってイメージセンサユニット２１に作用する曲げモーメントをも小さくできる。
【００４２】
また、上述したように、イメージセンサユニット２１の第１端部分２３において、ガイド溝２４に設けられた２つの面２８，２９との接触によって第１ガイド軸４が嵌められた箇所以外は、図５に表したように、第１ガイド軸４と接触することがないように切り欠けられている。すなわち、イメージセンサユニット２１のガイド溝２４では、２つの面２８，２９以外の面が第１ガイド軸４から離間されており、イメージセンサユニット２１のガイド溝２４で第１ガイド軸４が摩擦する面積をより一層に抑えることができる。つまり、イメージセンサユニット２１に作用する曲げモーメントをより一層小さくできる。
【００４３】
また、本実施の形態の画像読取装置１では、イメージセンサユニット２１のユニット本体２２に対して垂直方向Ｄ２の一方（図２では、下方）に覗き窓３Ｂが配設され、イメージセンサユニット２１のユニット本体２２に対して垂直方向Ｄ２の他方（図２では、上方）に読取窓３Ａが配設される。さらに、読取窓３Ａ及び覗き窓３Ｂの外側にはベルトドライブ機構４１の駆動ベルト４４が配設される。ここで、イメージセンサユニット２１のユニット本体２２をひっくり返した状態で使用すると、イメージセンサユニット２１のユニット本体２２に対して垂直方向Ｄ２の他方（図２では、上方）に覗き窓３Ｂが配設され、イメージセンサユニット２１のユニット本体２２に対して垂直方向Ｄ２の一方（図２では、下方）に読取窓３Ａが配設される。このとき、読取窓３Ａの下にある原稿を覗き窓３Ｂを介して装置本体越しにユーザーが見る際に、ベルトドライブ機構４１の駆動ベルト４４は邪魔にならない。
【００４４】
［４．その他］
尚、本発明は上記実施形態に限定されるものでなく、その趣旨を逸脱しない範囲で様々な変更が可能である。
例えば、本発明は、据置型のスキャナーに適用されてもよい。
【００４５】
さらに、イメージセンサユニット２１を駆動する仕組み、つまり、イメージセンサユニット駆動機構は、ベルト（ベルトドライブ機構４１）に限るものではなく、例えば、ラック・ピニオン、リードスクリューなどでも良い。
【符号の説明】
【００４６】
１    画像読取装置
３Ａ  読取窓
３Ｂ  覗き窓
４    第１ガイド軸
５    第２ガイド軸
２１    イメージセンサユニット
２２    ユニット本体
２３    第１端部分
２４    ガイド溝
２５    第２端部分
２６    ガイド板
２７    把持部
２８，２９    ２つの面
４１    ベルトドライブ機構
４４    駆動ベルト
Ｄ１    第１ガイド軸と第２ガイド軸とに対して直交した方向
Ｄ２    ユニット本体に対して垂直方向
Ｍ１    第１モーメント
Ｍ２    第２モーメント
【図１】
2013138283.tif 000003
【図２】
2013138283.tif 000004
【図３】
2013138283.tif 000005
【図４】
2013138283.tif 000006
【図５】
2013138283.tif 000007
【図６】
2013138283.tif 000008
【図７】
2013138283.tif 000009
【図８】
2013138283.tif 000010
【図９】
2013138283.tif 000011